(57)【要約】【課題】  非常時に常に確実に警報効果を発揮できる防犯警報器を提供する。【解決手段】  防犯警報器１１は脱着自在のピン２６が挿入され、ピン２６の脱出動作に応答して音を発する発音手段を有するブザー１３と、ピン２６の外方端側に接続されたホイッスル１５とから構成されている。ブザー１３に設置されている第１検査ボタン２１を押し下げると、発音手段が正常に作動する時にはスピーカー１８から音が発生する。第２検査ボタン２２を押し下げると、ブザー１３内部に収納されている電池が消耗していない場合にはＬＥＤ２３が点灯する。そのため、所持の度にこれらの検査ボタンを使用するように心がけておけば、非常時にピン２６を引き抜くことによって確実にブザー１３から大音量の警報音が発生する。【選択図】      図１
2006235777.tif 000002
【特許請求の範囲】
【請求項１】
防犯警報器であって、
脱着自在のピンが挿入され、前記ピンの脱出動作に応答して音を発する発音手段を有するブザーと、
取り付け時の前記ピンの外方端側に接続されたホイッスルとを備えた、防犯警報器。
【請求項２】
前記ホイッスルによって発せられる音の固有振動数と前記ブザーによって発せられる音の固有振動数とはほぼ一致する、請求項１記載の防犯警報器。
【請求項３】
前記ブザーに設けられた第１検査ボタンと、
前記第１検査ボタンの押し下げに応答して、前記発音手段の作動が正常か否かを判別する第１判別手段とを更に備えた、請求項１又は請求項２記載の防犯警報器。
【請求項４】
前記第１判別手段は、前記発音手段の作動が正常な時、前記発音手段を能動化する、請求項３記載の防犯警報器。
【請求項５】
発音手段に電圧を供給する電圧供給手段と、
前記ブザーに設けられた第２検査ボタンと、
前記第２検査ボタンの押し下げに応答して、前記電圧供給手段による供給電圧が所定値以上であるか否かを判別する第２判別手段とを更に備えた、請求項３又は請求項４記載の防犯警報器。
【請求項６】
前記第２判別手段は、前記供給電圧が前記所定値以上である時点灯する点灯手段を含む、請求項５記載の防犯警報器。
【請求項７】
前記ホイッスルは、その共鳴室の容積が異なった少なくとも２つの共鳴部を有する、請求項１から請求項６のいずれかに記載の防犯警報器。
【発明の詳細な説明】
【技術分野】
【０００１】
この発明は防犯警報器に関し、特に、ブザーとホイッスルとから構成された防犯警報器に関するものである。
【背景技術】
【０００２】
現在、犯罪を予防又は抑止するための防犯用ブザーが提供されている。このブザーは身辺に危険が及びそうになった時、大声を出す代わりにスイッチ等を入れることによって大音量の音を生じさせ、相手を威嚇するようにして使用するものである。
【０００３】
これによって犯罪等を未然に防止したり、救助を求めたりすることが可能となる。
【発明の開示】
【発明が解決しようとする課題】
【０００４】
上記のような従来の防犯用ブザーにあっては、内部に発音手段が収納され、これを駆動するための電源が設けられている。非常時には、スイッチをオンすることによって電源から発音手段に所定電圧が供給されて音が発せられる。
【０００５】
しかしながら、防犯用ブザーは常時使用するものではないため、発音手段にトラブル等が生じていてもこれに気づかず、必要な時に音が発しない場合がある。又、発音手段に問題がなくても電源の電圧が低下してしまい、所望の音量とならない場合もありうる。
【０００６】
この発明は上記のような課題を解決するためになされたもので、非常時に常に確実に警報効果を発揮できる防犯警報器を提供することを目的とする。
【課題を解決するための手段】
【０００７】
上記の目的を達成するために、請求項１記載の発明は、防犯警報器であって、脱着自在のピンが挿入され、ピンの脱出動作に応答して音を発する発音手段を有するブザーと、取り付け時のピンの外方端側に接続されたホイッスルとを備えたものである。
【０００８】
このように構成すると、ピンの取り付け状態がいずれにあってもホイッスルが使用できると共に、ピンを引き抜くとブザーから音が発せられる。
【０００９】
請求項２記載の発明は、請求項１記載の発明の構成において、ホイッスルによって発せられる音の固有振動数とブザーによって発せられる音の固有振動数とは、ほぼ一致するものである。
【００１０】
このように構成すると、ホイッスルによる音とブザーによる音とが共鳴する。
【００１１】
請求項３記載の発明は、請求項１又は請求項２記載の発明の構成において、ブザーに設けられた第１検査ボタンと、第１検査ボタンの押し下げに応答して、発音手段の作動が正常か否かを判別する第１判別手段とを更に備えたものである。
【００１２】
このように構成すると、第１検査ボタンの押し下げによって、ブザーの作動状況が判別できる。
【００１３】
請求項４記載の発明は、請求項３記載の発明の構成において、第１判別手段は、発音手段の作動が正常な時、発音手段を能動化するものである。
【００１４】
このように構成すると、発音手段が正常な時、第１検査ボタンを押し下げると音が発せられる。
【００１５】
請求項５記載の発明は、請求項３又は請求項４記載の発明の構成において、発音手段に電圧を供給する電圧供給手段と、ブザーに設けられた第２検査ボタンと、第２検査ボタンの押し下げに応答して、電圧供給手段による供給電圧が所定値以上であるか否かを判別する第２判別手段とを更に備えたものである。
【００１６】
このように構成すると、第２検査ボタンの押し下げによって電圧供給手段の電圧供給状態が判別される。
【００１７】
請求項６記載の発明は、請求項５記載の発明の構成において、第２判別手段は、供給電圧が所定値以上である時点灯する点灯手段を含むものである。
【００１８】
このように構成すると、供給電圧が所定値以上である時、点灯手段が点灯する。
【００１９】
請求項７記載の発明は、請求項１から請求項６のいずれかに記載の発明の構成において、ホイッスルはその共鳴室の容積が異なった少なくとも２つの共鳴部を有するものである。
【００２０】
このように構成すると、２つの共鳴部によるビート音効果が生じる。
【発明の効果】
【００２１】
以上説明したように、請求項１記載の発明は、ホイッスルが常に使用できると共に、ピンを引き抜くとブザーから音が発せられるため、ホイッスルのみの使用が可能であると共に、ブザーとホイッスルとを同時に使用することも可能となる。
【００２２】
請求項２記載の発明は、請求項１記載の発明の効果に加えて、ホイッスルによる音とブザーによる音とが共鳴するため、これらを同時に使用した時より大きな警報音となるので防犯効果がより向上する。
【００２３】
請求項３記載の発明は、請求項１又は請求項２記載の発明の効果に加えて、第１検査ボタンによってブザーの作動状況が判別できるため、使用時の信頼性が向上する。
【００２４】
請求項４記載の発明は、請求項３記載の発明の効果に加えて、発音手段が正常な時、第１検査ボタンの押し下げによって音が発せられるため、発音手段のチェックが効率的かつ容易に可能となる。
【００２５】
請求項５記載の発明は、請求項３又は請求項４記載の発明の効果に加えて、第２検査ボタンの押し下げによって電圧供給手段の電圧供給状態が判別されるため、使用時の信頼性がより向上する。
【００２６】
請求項６記載の発明は、請求項５記載の発明の効果に加えて、供給電圧が所定値以上である時、点灯手段が点灯するため、電圧供給手段のチェックが容易に可能となる。
【００２７】
請求項７記載の発明は、請求項１から請求項６のいずれかに記載の発明の効果に加えて、２つの共鳴部によるビート音効果が生じるため、より注意を喚起し易い効果的なホイッスルの音となり、防犯効果がより向上する。
【発明を実施するための最良の形態】
【００２８】
図１はこの発明の第１の実施の形態による防犯警報器の外観形状を示した斜視図であってその正面側から見た図であり、図２はその防犯警報器を背面側から見た斜視図である。
【００２９】
これらの図を参照して、防犯警報器１１は、ブザー１３とブザー１３に接続されたホイッスル１５とから構成されている。ブザー１３はいずれも円板形状を有する上ケース１７と下ケース２８とによってその外郭が形成されている。上ケース１７側にはその中心にスピーカー１８が収納され、これを覆うカバー１９が取り付けられている。カバー１９の左側には第１検査ボタン２１が設けられ、その右側には第２検査ボタン２２が設けられている。これらの検査ボタンの機能については後述する。又、第２検査ボタン２２の上方側には所定の条件で点灯するＬＥＤ２３が露出している。このＬＥＤ２３の機能についても後述する。
【００３０】
一方、図２に示すように、ブザー１３の下ケース２８側の中央にはクリップ２９が回動自在に取り付けられている。尚、クリップ２９は図示しない機構によって下ケース２８側に付勢されている。このように構成することによって、クリップ２９を用いて防犯警報器１１をランドセルや胴ベルトに脱着自在に取り付けることが可能となる。又、クリップ２９の上方には、ブザーを首から掛けるようにするために紐等を通すための取付具３０が形成されている。
【００３１】
又、ブザー１３の下方部には挿入孔３２が形成され、この挿入孔３２に対して脱着自在に挿入できる棒状のピン２６が取り付けられている。ブザー１３に取り付けられた状態のピン２６の外方端側には、リング２５を介してホイッスル１５が取り付けられている。このホイッスル１５の詳細構造についても後述する。
【００３２】
次にブザー１３の機能及び構造について説明する。
【００３３】
ブザー１３内部には上述のように所定以上の電圧が印加されると大音量の音を発する発音手段を構成するスピーカー１８が収納されている。そして電圧は図示しない電源から、図示しないスイッチを介して所定電圧が供給されるように構成されている。このスイッチの機能の一部を果たすのが、ブザー１３内部に脱着自在に挿入できるピン２６である。即ち、ピン２６がブザー１３に挿入状態である時にはスイッチはオフ状態となり、スピーカー１８に電圧が印加されず音が発しない状態となっている。
【００３４】
一方、ブザー１３からホイッスル１５等を介してピン２６に対して下方向に力を加えると、ピン２６はブザー１３から脱出する。図３はこの状態を示した防犯警報器１１の外観形状を示した斜視図である。非常時にこのようにしてピン２６をブザー１３から引き抜くと、ブザー１３内に収納されているスイッチはオン状態となる。これによって、スピーカー１８に所定電圧が印加されスピーカー１８から大音量の音が発生する。その結果、周りに非常時状態を報知することが可能となる。
【００３５】
そして、図３で示した状態からピン２６を挿入孔３２を通してブザー１３に収納すると、スイッチはオン状態からオフ状態に変わり、発音手段への電圧の供給が停止される。これによってスピーカー１８を介して発せられていた音は鳴り止むことになる。
【００３６】
次に、ブザー１３に設置されている第１検査ボタン２１及び第２検査ボタン２２の機能について説明する。
【００３７】
上述のようにブザー１３内部には所定電圧が印加されると音を発する発音手段が収納されている。しかし、この発音手段が何らかの故障によって電圧が加わっても音が発生しない場合がありうる。この発音手段の作動が正常か否かを判別するのが第１検査ボタン２１の機能である。即ち、ブザー１３にピン２６が挿入された通常時（スイッチとしてはオフ状態）において、第１検査ボタン２１を押し下げると、発音手段が正常に作動する場合にあっては、発音手段が能動化されてスピーカー１８から一定の音が発せられることになる。一方、発音手段の作動が正常に働かない場合には、第１検査ボタン２１を押し下げた状態であっても音は発生しない。このようにして通常時に第１検査ボタン２１を押し下げることによって、内部に収納されている発音手段の作動状態を判別することが可能となる。尚、発音手段を能動化させるとは、第１検査ボタンをスイッチとして収納されている電池の電圧を発音手段に供給することをいう。この場合、検査用の電池を別途用意しておきその電圧を第１検査ボタンの押し下げによって供給するように構成しても良い。又、検査時の発音手段による音は非常時における発生音に比べて小さくなるように構成しておくと、検査による周りへの影響が少なくなるので好ましい。
【００３８】
次に第２検査ボタン２２の機能について説明する。上述のようにブザー１３には図示しない電池が格納されている。この電池が消耗して所定の電圧を発音手段に印加できる状態になっていないと、非常時には発音手段から所望の音量の音が発生しないことになる。この電源の消耗状態をチェックするのが第２検査ボタン２２の機能である。即ち、ブザー１３にピン２６が挿入された通常時（スイッチとしてはオフ状態）において、第２検査ボタン２２を押し下げると、その電池から供給し得る電圧が所定値以上である場合には点灯手段たるＬＥＤ２３が点灯するように構成されている。一方、電池が消耗して供給電圧が所定値未満となっている場合にはＬＥＤ２３が点灯しないことになる。これによって通常時において電池の消耗状態をチェックすることが可能となる。
【００３９】
以上のように第１検査ボタン２１によって発音手段の作動状況を、第２検査ボタン２２によって電池の消耗状態を、いずれも検査することが可能になる。そのため、所持の度にこれらの検査ボタンを使用するように心がけておけば、非常時においてピン２６をブザー１３から引き抜くことによって確実に大音量の音がブザー１３から発せられることになり、動作の信頼性が向上する。尚、電池が完全に消耗している場合には、発音手段が正常に動作するものであっても第１検査ボタンの押し下げによっても音は発しないことになる。したがって、ブザーの検査をする際にはまず第２ボタンの押し下げから始め、電池の消耗程度を確認してから第１検査ボタンによるチェックを行うことが好ましい。
【００４０】
図４は図１で示されたホイッスル１５の外観形状を示した拡大斜視図であり、図５は図４で示したＶ−Ｖラインの断面図であり、図６は図４で示したＶＩ−ＶＩラインの断面図であり、図７は図４で示したＶＩＩ−ＶＩＩラインの断面図である。
【００４１】
これらの図を参照して、ホイッスル１５はやや薄型の直方体形状の胴部３４を中心に構成され、そのマウスピース部３５側とは反対側の部分には装飾的かつホイッスル１５の持ち易さを容易とするための星状の突起が形成されている。マウスピース部３５側から内方に向かって第１共鳴室４８と第２共鳴室４９とが形成され、これらは仕切部４６によって仕切られている。第１共鳴室４８の長さＬ１に対して第２共鳴室４９の長さＬ２は異なった長さに形成され、これらの共鳴室の構造によってビート音効果が生じるように構成されている。第１共鳴室４８及び第２共鳴室４９のマウスピース部３５側には、仕切部４６に嵌合するように中子３７が長溝部３８ａ，長溝部３８ｂに挿入されて固定されている。これによってマウスピース部３５には第１吹き口４０及び第２吹き口４１が形成されることになる。
【００４２】
一方、第１共鳴室４８の上方の部分には、第１エッジ４３を介して第１歌口５１が形成されている。同様に第２共鳴室４９の上方の部分には第２エッジ４４を介して第２歌口５２が形成されている。
【００４３】
以上のようにホイッスル１５は構成されているため、使用時にあっては、マウスピース部３５の部分を口に銜えて第１吹き口４０及び第２吹き口４１に同時に空気を吹き込めば良い。第１吹き口４０及び第２吹き口４１から吹き込まれた空気は、第１エッジ４３及び第２エッジ４４の部分を通過して外方に排出されることによって第１共鳴室４８及び第２共鳴室４９の長さに基づく固有振動数を有する音となって発生する。第１共鳴室４８及び第２共鳴室４９は上述のようにその長さが異なっているため、異なった周波数の音が同時に発せられる状態となり、これらの音が唸りとなって生じるビート音効果が生じる。これによって単一の共鳴室しか有さないホイッスルに比べてより効果的な警報音となる。
【００４４】
尚、図１に示されているようにホイッスル１５がブザー１３に対してピン２６を介して取り付けられている通常時にあっても、ホイッスル１５のマウスピース部３５は常時露出した状態となっている。従って、ピン２６をブザー１３から引き抜くことなく、ホイッスル１５のみを使用することが可能となる。又、仮にブザー１３における発音手段や電池に障害があった場合にあっても、ホイッスル１５のみを使用することによって警報効果を発揮させることが可能となる。
【００４５】
更に、非常時にあっては、ホイッスル１５を下方に引張ることによってピン２６をブザー１３から引き抜き、ブザー１３の発音手段から大音量の音を生じさせると共に、同時にホイッスル１５を使用することも可能である。このような状況を想定して、この実施の形態による防犯警報器１１にあっては、ブザー１３の発音手段による発生音の固有振動数とホイッスル１５から発せられる音のいずれかの固有振動数が一致するように設定されている。従って、ブザー１３とホイッスル１５とを同時に使用した状態にあっては、より大きな警報効果の高い音が防犯警報器１１全体から発せられることになる。
【００４６】
尚、上記の実施の形態では、第２判別手段として点灯手段たるＬＥＤを用いているが、これに代えて確認音の発生等の他の手段を用いても良い。
【００４７】
又、上記の実施の形態では、ブザーの音の固有振動数とホイッスルの音の固有振動数とをほぼ一致するように構成しているが、これらは必ずしもほぼ一致するようにしなくても良い。
【００４８】
更に、上記の実施の形態では、ホイッスルは２つの共鳴室を有しているが、共鳴室は１室でも良くあるいは３室以上であっても良い。
【００４９】
更に、上記の実施の形態では、ホイッスルはピンを介してブザーに連結されているが、ホイッスル自体をブザーに挿入自在とするように構成しても良い。
【００５０】
更に、上記の実施の形態では、ホイッスルはピンを介してブザーに連結されているが、ホイッスルとブザーとを一体構造とし着脱自在のピンを別途ブザーに挿入できるように構成しても良い。
【図面の簡単な説明】
【００５１】
【図１】この発明の第１の実施の形態による防犯警報器の外観形状を示した斜視図であってその正面側から見た図である。
【図２】図１で示した防犯警報器の背面側から見た斜視図である。
【図３】図１で示した防犯警報器において、非常時においてホイッスルをブザーから引き抜いた状態を示した斜視図である。
【図４】図１で示したホイッスルの外観形状を示した拡大斜視図である。
【図５】図４で示したＶ−Ｖラインの断面図である。
【図６】図４で示したＶＩ−ＶＩラインの断面図である。
【図７】図４で示したＶＩＩ−ＶＩＩラインの断面図である。
【符号の説明】
【００５２】
１１…防犯警報器
１３…ブザー
１５…ホイッスル
１８…スピーカー
２１…第１検査ボタン
２２…第２検査ボタン
２３…ＬＥＤ
２６…ピン
３５…マウスピース部
４０…第１吹き口
４１…第２吹き口
４８…第１共鳴室
４９…第２共鳴室
尚、各図中同一符号は同一又は相当部分を示す。
【図１】
2006235777.tif 000003
【図２】
2006235777.tif 000004
【図３】
2006235777.tif 000005
【図４】
2006235777.tif 000006
【図５】
2006235777.tif 000007
【図６】
2006235777.tif 000008
【図７】
2006235777.tif 000009